(57)【特許請求の範囲】
【請求項１】
無線基地局と移動局との間で送受信される制御データ、前記無線基地局の稼働に関連する基地局稼働関連データ及び前記無線基地局を制御する基地局制御装置の稼働に関連する制御装置稼働関連データの少なくともいずれかを収集する要求を含み、前記制御データ、前記基地局稼働関連データ及び前記制御装置稼働関連データの少なくともいずれかを収集する対象となる無線基地局を識別する基地局識別情報、収集対象のデータ種別及び収集期間を含む収集要求データをオペレーションサポートシステムに送信する要求送信部と、
前記収集要求データに従って前記オペレーションサポートシステムが収集した前記制御データ、前記基地局稼働関連データ及び前記制御装置稼働関連データの少なくともいずれかを前記オペレーションサポートシステムから受信する収集データ受信部であって、前記オペレーションサポートシステムが前記収集期間内に収集した、前記収集対象の無線基地局についての前記データ種別が示すデータを前記オペレーションサポートシステムから受信する収集データ受信部と、
前記収集データを格納する収集データ格納部と
を備えるデータ収集装置。
【請求項２】
前記収集対象の無線基地局の状態を監視する状態監視部と、
前記無線基地局の状態が予め定められた第１の条件を満たした場合に、予め定められた宛先に通知する基地局状態通知部と
をさらに備える、請求項１に記載のデータ収集装置。
【請求項３】
前記無線基地局の状態が、前記第１の条件とは異なる第２の条件を満たした場合に、前記オペレーションサポートシステムに、前記収集要求データに基づくデータの収集処理を停止させる収集停止制御部
をさらに備える、請求項２に記載のデータ収集装置。
【請求項４】
前記無線基地局の状態が前記第２の条件を満たした後、前記第２の条件とは異なる第３の条件を満たした場合、前記オペレーションサポートシステムに、前記収集要求データに基づいてデータの収集処理を再開させる収集再開制御部
をさらに備える請求項３に記載のデータ収集装置。
【請求項５】
前記状態監視部は、前記無線基地局の負荷を監視し、
前記基地局状態通知部は、前記無線基地局の負荷が、予め定められた第１の閾値より大きい場合に、前記予め定められた宛先に通知し、
前記収集停止制御部は、前記無線基地局の負荷が、前記第１の閾値よりも高い第２の閾値より大きい場合に、前記オペレーションサポートシステムに、前記収集要求データに基づくデータの収集処理を停止させ、
前記収集再開制御部は、前記無線基地局の負荷が、前記第２の閾値より大きかった後、前記第２の閾値よりも低い第３の閾値よりも小さくなった場合に、前記オペレーションサポートシステムに、前記収集要求データに基づくデータの収集処理を再開させる、請求項４に記載のデータ収集装置。
【請求項６】
前記状態監視部は、前記無線基地局についてのアラーム発生状況を監視し、
前記基地局状態通知部は、前記無線基地局についてのアラームが第１レベルのアラームであった場合に、前記予め定められた宛先に通知し、
前記収集停止制御部は、前記無線基地局についてのアラームが、前記第１レベルよりも高い第２レベルのアラームであった場合に、前記オペレーションサポートシステムに、前記収集要求データに基づくデータの収集処理を停止させ、
前記収集再開制御部は、前記無線基地局についての前記第２レベルのアラームが解消された場合に、前記オペレーションサポートシステムに、前記収集要求データに基づくデータの収集処理を再開させる、請求項４に記載のデータ収集装置。
【請求項７】
コンピュータを、請求項１から６のいずれか一項に記載のデータ収集装置として機能させるためのプログラム。
【発明の詳細な説明】
【技術分野】
【０００１】
本発明は、データ収集装置及びプログラムに関する。
【背景技術】
【０００２】
従来、無線基地局の設置場所を適切に決定するべく、設置場所の候補であるエリアの地形データと障害物の高さデータとを取得して、障害物によって既存の無線基地局からの電波が届かないエリアを特定する技術が知られていた（例えば、特許文献１参照）。
［先行技術文献］
［特許文献］
［特許文献１］特開２００４−２４１７９９号公報
【発明の概要】
【発明が解決しようとする課題】
【０００３】
複数の無線基地局により提供される実際の無線ネットワークの状況を安全かつ効率的に把握することを支援するシステムの提供が望まれていた。
【課題を解決するための手段】
【０００４】
本発明の第１の態様によれば、無線基地局と移動局との間で送受信される制御データ、無線基地局の稼働に関連する基地局稼働関連データ及び無線基地局を制御する基地局制御装置の稼働に関連する制御装置稼働関連データの少なくともいずれかを収集する要求を含む収集要求データをオペレーションサポートシステムに送信する要求送信部と、収集要求データに従ってオペレーションサポートシステムが収集した制御データ、基地局稼働関連データ及び制御装置稼働関連データの少なくともいずれかをオペレーションサポートシステムから受信する収集データ受信部と、収集データを格納する収集データ格納部とを備えるデータ収集装置が提供される。
【０００５】
上記データ収集装置において、収集要求データは、制御データ、基地局稼働関連データ及び制御装置稼働関連データの少なくともいずれかを収集する対象となる無線基地局を識別する基地局識別情報、収集対象のデータ種別及び収集期間を含んでよく、収集データ受信部は、オペレーションサポートシステムが収集期間内に収集した、収集対象の無線基地局についてのデータ種別が示すデータをオペレーションサポートシステムから受信してよい。上記データ収集装置は、収集対象の無線基地局の状態を監視する状態監視部と、無線基地局の状態が予め定められた第１の条件を満たした場合に、予め定められた宛先に通知する基地局状態通知部とをさらに備えてよい。上記データ収集装置は、無線基地局の状態が、第１の条件とは異なる第２の条件を満たした場合に、オペレーションサポートシステムに、収集要求データに基づくデータの収集処理を停止させる収集停止制御部をさらに備えてよい。上記データ収集装置は、無線基地局の状態が第２の条件を満たした後、第２の条件とは異なる第３の条件を満たした場合、オペレーションサポートシステムに、収集要求データに基づいてデータの収集処理を再開させる収集再開制御部をさらに備えてよい。
【０００６】
上記データ収集装置において、状態監視部は、無線基地局の負荷を監視してよく、基地局状態通知部は、無線基地局の負荷が、予め定められた第１の閾値より大きい場合に、予め定められた宛先に通知してよく、収集停止制御部は、無線基地局の負荷が、第１の閾値よりも高い第２の閾値より大きい場合に、オペレーションサポートシステムに、収集要求データに基づくデータの収集処理を停止させてよく、収集再開制御部は、無線基地局の負荷が、第２の閾値より大きかった後、第２の閾値よりも低い第３の閾値よりも小さくなった場合に、オペレーションサポートシステムに、収集要求データに基づくデータの収集処理を再開させてよい。上記データ収集装置において、状態監視部は、無線基地局についてのアラーム発生状況を監視してよく、基地局状態通知部は、無線基地局についてのアラームが第１レベルのアラームであった場合に、予め定められた宛先に通知してよく、収集停止制御部は、無線基地局についてのアラームが、第１レベルよりも高い第２レベルのアラームであった場合に、オペレーションサポートシステムに、収集要求データに基づくデータの収集処理を停止させてよく、収集再開制御部は、無線基地局についての第２レベルのアラームが解消された場合に、オペレーションサポートシステムに、収集要求データに基づくデータの収集処理を再開させてよい。
【０００７】
本発明の第２の態様によれば、コンピュータを、上記データ収集装置として機能させるためのプログラムが提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】データ収集装置の通信環境の一例を概略的に示す。
【図２】データ収集装置の機能構成の一例を概略的に示す。
【図３】データ収集装置による処理の流れの一例を概略的に示す。
【図４】データ収集装置による処理の流れの一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、データ収集装置１００の通信環境の一例を概略的に示す。図１は、本実施形態に係るデータ収集装置１００を３Ｇ（３ｒｄ  Ｇｅｎｅｒａｔｉｏｎ）システムに適用した場合を例示する。
【００１２】
データ収集装置１００は、ＢＳ（Ｂａｓｅ  Ｓｔａｔｉｏｎ）１０と移動局１２との間で送受信される制御データ、ＢＳ１０の稼働に関連する基地局稼働関連データ及びＢＳ１０を制御するＲＮＣ（Ｒａｄｉｏ  Ｎｅｔｗｏｒｋ  Ｃｏｎｔｒｏｌｌｅｒ）２０の稼働に関連する制御装置稼働関連データの少なくともいずれかを収集する要求を含む収集要求データをＯＳＳ（オペレーティングサポートシステム）３０に送信する。ＢＳ１０は、無線基地局の一例であってよい。ＲＮＣ２０は、基地局制御装置の一例であってよい。
【００１３】
収集要求データは、制御データ及び基地局稼働関連データの少なくともいずれかを収集する対象となるＢＳ１０を識別する基地局識別情報を含んでよい。基地局識別情報は、例えば、ＢＳＩＤ（Ｂａｓｅ  Ｓｔａｔｉｏｎ  ＩＤ）である。
【００１４】
収集要求データは、収集対象のデータの種別を示すデータ種別を含んでよい。データ種別によって示されるデータは、例えば、ＢＳ１０と移動局１２との間で送受信される制御データである。制御データは、例えば制御データに含まれるＣＩＤ（Ｃｅｌｌ  ＩＤ）によって識別されてよい。制御データは、例えば、移動局１２によって測定された無線品質を含むＭｅａｓｕｒｅｍｅｎｔ  Ｒｅｐｏｒｔ等が挙げられる。Ｍｅａｓｕｒｅｍｅｎｔ  Ｒｅｐｏｒｔには、ＲＳＣＰ（Ｒｅｃｅｉｖｅｄ  Ｓｉｇｎａｌ  Ｃｏｄｅ  Ｐｏｗｅｒ）、Ｅｃ／Ｎｏまたは移動局１２の送信電力等が含まれる。制御データがＭｅａｓｕｒｅｍｅｎｔ  Ｒｅｐｏｒｔである場合に、制御データはＰＳＣ（Ｐｒｉｍａｒｙ  Ｓｃｒａｍｂｌｉｎｇ  Ｃｏｄｅ）によって識別されてもよい。
【００１５】
また、データ種別によって示されるデータは、ＢＳ１０の稼働に関連する基地局稼働関連データであってよい。ＢＳ１０の稼働に関連する基地局稼働関連データは、ＣＩＤを含んでよく、ＣＩＤによって識別されてよい。また、データ種別によって示されるデータは、ＲＮＣ２０の稼働に関連する制御装置稼働関連データであってもよい。基地局稼働関連データは、例えば、呼接続数、電力使用率、スループット及び処理負荷等である。また、制御装置稼働関連データは、例えば、電力使用率、スループット及び処理負荷等である。
【００１６】
収集要求データは、収集期間を含んでよい。収集期間は、分単位、時間単位及び日単位等、任意の単位で指定されてよい。
【００１７】
データ収集装置１００は、データ収集装置１００を使用する使用者２１０等によって入力された入力データに基づいて、収集要求データを生成してよい。使用者２１０は、例えば、データ収集装置１００が備える不図示の入力デバイスを用いて入力データを入力する。また、使用者２１０は、使用者２１０が所有する情報端末２００に対して入力データを入力してもよい。データ収集装置１００は、情報端末２００に対して入力された入力データを、ネットワーク５０を介して情報端末２００から受信してよい。情報端末２００は、例えば、ＰＣ（Ｐｅｒｓｏｎａｌ  Ｃｏｍｐｕｔｅｒ）等である。
【００１８】
ＯＳＳ３０は、データ収集装置１００から受信した収集要求データに従って、制御データ、基地局稼働関連データ及び制御装置稼働関連データの少なくともいずれかを収集する。ＯＳＳ３０は、例えば、収集要求データに含まれる収集期間内に収集した、基地局識別情報によって識別されるＢＳ１０についての、データ種別が示すデータを収集する。ＯＳＳ３０は、データ取得要求をＲＮＣ２０に送信して、データ取得要求に従ってＲＮＣ２０が取得したデータを、ＲＮＣ２０から受信してよい。
【００１９】
ＲＮＣ２０は、ＯＳＳ３０から受信したデータ取得要求に従って、ＢＳ１０から制御データ及び基地局稼働関連データの少なくともいずれかを取得してよい。また、ＲＮＣ２０は、データ取得要求に従って、制御装置稼働関連データを取得してよい。
【００２０】
ＲＮＣ２０は、例えば、収集要求データに含まれる収集期間の間に取得したデータを、予め定められた期間が経過する毎にＯＳＳ３０に送信する。例えば、予め定められた期間は１５分間である。
【００２１】
ＯＳＳ３０は、予め定められた期間毎にＲＮＣ２０から受信したデータを、データ収集装置１００に送信する。ＯＳＳ３０は、ＲＮＣ２０からデータを受信する毎に、データをデータ収集装置１００に送信してよい。また、ＯＳＳ３０は、ＲＮＣ２０から受信したデータをまとめてデータ収集装置１００に送信してもよい。
【００２２】
このように、データ収集装置１００は、収集要求データをＯＳＳ３０に送信して、収集要求データに従ってＯＳＳ３０が収集した、制御データ、基地局稼働関連データ及び制御装置関連データ等の収集データをＯＳＳ３０から受信する。これにより、制御データ、基地局稼働関連データ及び制御装置稼働関連データ等を自動的に収集することができる。
【００２３】
データ収集装置１００は、ＯＳＳ３０から受信した収集データを、ネットワーク５０を介してファイルサーバ３００に送信してよい。ネットワーク５０は、例えば、社内ネットワーク等のＩＰ（Ｉｎｔｅｒｎｅｔ  Ｐｒｏｔｏｃｏｌ）網や専用網であってよい。データ収集装置１００は、機密性の高いネットワーク５０内において、ファイヤーウォールによって隔離された他の機密領域に配置されたファイルサーバ３００に、ＯＳＳ３０から受信した収集データを送信してもよい。
【００２４】
データ収集装置１００は、収集要求データに基づいてＯＳＳ３０が収集する収集状況を示す収集状況データを、予め定められた宛先に送信してよい。収集状況データは、例えば、ＯＳＳ３０が収集要求データに基づくデータ収集処理を開始したこと及び終了したこと等を含む。予め定められた宛先は、例えば、使用者２１０のメールアドレスである。データ収集装置１００が、収集状況データを使用者２１０のメールアドレス宛に送信することによって、データの収集状況を使用者２１０に通知することができる。予め定められた宛先は、一または複数の宛先であってよい。また、予め定められた宛先は、複数の収集要求データ毎に異なってもよい。
【００２５】
なお、図１では、データ収集装置１００を３Ｇシステムに適用した場合を例示しているが、これに限らない。データ収集装置１００は、ＬＴＥ（Ｌｏｎｇ  Ｔｅｒｍ  Ｅｖｏｌｕｔｉｏｎ）システム及び４Ｇシステム等に適用されてもよい。ＬＴＥシステム及び４Ｇシステムに適用された場合、データ収集装置１００は、ｅＮｏｄｅＢと移動局１２との間で送受信される制御データ及びｅＮｏｄｅＢの稼働に関連する基地局稼働関連データの少なくともいずれかを収集する要求を含む収集要求データをＯＳＳ（オペレーティングサポートシステム）３０に送信してよい。ＯＳＳ３０は、ｅＮｏｄｅＢから、制御データ及び基地局稼働関連データを受信してよい。ｅＮｏｄｅＢは無線基地局の一例であってよい。基地局識別情報は、例えば、ｅＮＢ  ＩＤ（ｅＮｏｄｅＢ  ＩＤ）であってよい。制御データは、例えば、制御データに含まれるＣＩＤによって識別されてよい。また、制御データに含まれるＰＣＩ（Ｐｈｉｓｉｃａｌ  Ｃｅｌｌ  ＩＤ）によって識別されてもよい。制御データは、ＲＳＲＰ（Ｒｅｆｅｒｅｎｃｅ  Ｓｉｇｎａｌ  Ｒｅｃｅｉｖｅｄ  Ｐｏｗｅｒ）及びＲＳＲＱ（Ｒｅｆｅｒｅｎｃｅ  Ｓｉｇｎａｌ  Ｒｅｃｅｉｖｅｄ  Ｑｕａｌｉｔｙ）等を含んでよい。
【００２６】
図２は、データ収集装置１００の機能構成の一例を概略的に示す。データ収集装置１００は、入力データ取得部１０２、収集要求データ生成部１０４、要求送信部１０６、収集データ受信部１１２、収集状況データ送信部１１４、収集データ格納部１１６、収集データ送信部１１８、負荷データ受信部１２２、アラームデータ受信部１２４、状態監視部１３０、状態通知部１３２、収集停止制御部１３４及び収集再開制御部１３６を備える。
【００２７】
入力データ取得部１０２は、入力データを取得する。入力データ取得部１０２は、使用者２１０によって入力された入力データを取得してよい。例えば、入力データ取得部１０２は、使用者２１０によって、データ収集装置１００が備える入力デバイスを用いて入力された入力データを取得する。また、例えば、入力データ取得部１０２は、使用者２１０によって、情報端末２００を用いて入力された入力データを情報端末２００から受信する。
【００２８】
収集要求データ生成部１０４は、入力データ取得部１０２が取得した入力データに基づいて、収集要求データを生成する。収集要求データ生成部１０４は、入力データ取得部１０２が取得した入力データに含まれる基地局識別情報、データ種別及び収集期間を含む収集要求データを生成してよい。収集要求データ生成部１０４は、入力データ取得部１０２が取得した複数の異なる入力データに基づいて、複数の収集要求データを生成してよい。
【００２９】
要求送信部１０６は、収集要求データ生成部１０４が生成した収集要求データをＯＳＳ３０に送信する。要求送信部１０６は、収集要求データ生成部１０４が複数の収集要求データを生成した場合、複数の収集要求データをＯＳＳ３０に送信してよい。
【００３０】
収集データ受信部１１２は、要求送信部１０６が送信した収集要求データに従ってＯＳＳ３０が収集した制御データ、基地局稼働関連データ及び制御装置稼働関連データの少なくともいずれかを、ＯＳＳ３０から受信する。収集データ受信部１１２は、ＯＳＳ３０によるデータ収集の状況を示す収集状況データを、ＯＳＳ３０から受信してもよい。
【００３１】
収集状況データは、収集要求データがＯＳＳ３０に登録されたことを示す登録完了通知データを含んでよい。また、収集状況データは、ＯＳＳ３０が収集要求データに従ってデータの収集を開始したことを示す収集開始通知データを含んでよい。また、収集状況データは、ＯＳＳ３０によるデータの収集に異常が発生したことを示す異常通知を含んでよい。また、収集状況データは、収集要求データに従ったＯＳＳ３０によるデータの収集が終了したことを示す収集終了通知データを含んでよい。
【００３２】
収集状況データ送信部１１４は、収集データ受信部１１２が受信した収集状況データを予め定められた宛先に送信する。宛先は、収集要求データごとに異なる宛先に定められてよい。収集状況データ送信部１１４は、例えば、使用者２１０のメールアドレス宛に、収集状況データを送信する。
【００３３】
収集データ格納部１１６は、収集データ受信部１１２が受信した収集データを格納する。収集データ格納部１１６は、収集データをデータ収集装置１００が備えるメモリに格納してよい。また、収集データ格納部１１６は、収集データをデータ収集装置１００が備えるハードディスクに格納してよい。
【００３４】
収集データ送信部１１８は、収集データ格納部１１６が格納した収集データをファイルサーバ３００等に送信する。収集データ送信部１１８は、収集データ格納部１１６が収集データを格納する収集データを定期的にファイルサーバ３００に送信してよい。また、収集データ送信部１１８は、収集データ格納部１１６が収集データを格納する毎に、収集データをファイルサーバ３００に送信してもよい。
【００３５】
負荷データ受信部１２２は、要求送信部１０６が送信した収集要求データに含まれる基地局識別情報によって識別されるＢＳ１０の負荷を示す負荷データを受信する。負荷データ受信部１２２は、ＯＳＳ３０から負荷データを受信してよい。負荷データは、例えば、ＢＳ１０のＣＰＵ負荷を示すデータであってよい。負荷データ受信部１２２は、ＢＳ１０の、予め定められた期間の平均負荷を示す負荷データを受信してよい。予め定められた期間は、任意に設定されてよい。予め定められた期間は、例えば１５分間である。また、負荷データ受信部１２２は、収集要求データに含まれる基地局識別情報によって識別されるＢＳ１０を管理するＲＮＣ２０の負荷を示す負荷データを受信してよい。ＲＮＣ２０の負荷データは、例えば、ＢＳ１０のＣＰＵ負荷を示すデータである。負荷データ受信部１２２は、ＲＮＣ２０の、予め定められた期間の平均負荷を示す負荷データを受信してよい。予め定められた期間は、任意に設定されてよい。予め定められた期間は、例えば１５分間である。
【００３６】
アラームデータ受信部１２４は、要求送信部１０６が送信した収集要求データに含まれる基地局識別情報によって識別されるＢＳ１０についてのアラームを受信する。アラームデータ受信部１２４は、ＯＳＳ３０からアラームを受信してよい。また、アラームデータ受信部１２４は、収集要求データに含まれる基地局識別情報によって識別されるＢＳ１０を管理するＲＮＣ２０についてのアラームを受信してよい。
【００３７】
ＯＳＳ３０は、ＢＳ１０から受信したＢＳ１０についてのアラームをデータ収集装置１００に送信してよい。また、ＯＳＳ３０は、ＲＮＣ２０から受信したＲＮＣ２０についてのアラームをデータ収集装置１００に送信してよい。
【００３８】
ＢＳ１０についてのアラームは、複数レベルのアラームであってよい。例えば、ＢＳ１０についてのアラームは、メジャーアラームと、メジャーアラームよりもレベルが高いクリティカルアラームとを含む。ＲＮＣ２０についてのアラームも、同様に複数レベルのアラームであってよい。
【００３９】
メジャーアラームは、ＢＳ１０の稼働に与える影響がクリティカルアラームに比べて小さいアラームであってよい。例えば、メジャーアラームは、ＢＳ１０に設置された機器及び設備等に生じた状態変化を示すアラームである。具体的には、メジャーアラームは、ＢＳ１０に設置されたエアコン設備の故障を示すアラーム等である。
【００４０】
クリティカルアラームは、ＢＳ１０の稼働に与える影響がメジャーアラームに比べて大きいアラームであってよい。例えば、クリティカルアラームは、ＢＳ１０の電源が落ちたことを示すアラーム及びＢＳ１０が有するシステムボード等の部材が取り外されたことを示すアラーム等を含む。
【００４１】
状態監視部１３０は、要求送信部１０６が送信した収集要求データに含まれる基地局識別情報によって識別されるＢＳ１０の状態を監視する。状態監視部１３０は、収集データ受信部１１２が受信した収集データに基づいて、ＢＳ１０の状態を監視してよい。また、状態監視部１３０は、負荷データ受信部１２２が受信した負荷データに基づいて、ＢＳ１０の状態を監視してよい。また、状態監視部１３０は、アラームデータ受信部１２４が受信したアラームに基づいて、ＢＳ１０の状態を監視してよい。状態監視部１３０は、同様に、要求送信部１０６が送信した収集要求データに含まれる基地局識別情報によって識別されるＢＳ１０を管理するＲＮＣ２０の状態を監視してもよい。
【００４２】
状態通知部１３２は、状態監視部１３０によって監視されるＢＳ１０の状態に応じて、ＢＳ１０の状態を予め定められた宛先に通知する。状態通知部１３２は、基地局状態通知部の一例であってよい。例えば、状態通知部１３２は、ＢＳ１０の状態が予め定められた第１の条件を満たした場合に、予め定められた宛先に通知する。予め定められた宛先とは、例えば、使用者２１０のメールアドレスである。
【００４３】
第１の条件とは、ＢＳ１０の負荷が予め定められた第１の閾値より大きいことであってよい。例えば、状態通知部１３２は、ＢＳ１０のＣＰＵ負荷が４０％より大きい場合に、予め定められた宛先に通知する。また、第１の条件とは、定期的に収集されたＢＳ１０の負荷が連続して第１の閾値より大きいことであってもよい。例えば、状態通知部１３２は、負荷データ受信部１２２が１５分毎に受信したＢＳ１０のＣＰＵ負荷が、２回連続して４０％より大きかった場合に、予め定められた宛先に通知する。
【００４４】
また、第１の条件とは、ＢＳ１０についてのアラームが第１レベルのアラームであったことであってよい。例えば、状態通知部１３２は、アラームデータ受信部１２４がＢＳ１０についてのメジャーアラームを受信した場合に、予め定められた宛先に通知する。また、第１の条件とは、定期的に収集されたＢＳ１０についてのアラームが、連続してメジャーアラームを含むことであってもよい。例えば、状態通知部１３２は、アラームデータ受信部１２４が１５分毎に受信したアラームデータが、２回連続してメジャーアラームを含んだ場合に、予め定められた宛先に通知する。
【００４５】
状態通知部１３２は、ＢＳ１０の状態と同様に、状態監視部１３０によって監視されるＲＮＣ２０の状態に応じて、ＲＮＣ２０の状態を予め定められた宛先に通知してよい。状態通知部１３２は、ＲＮＣ２０の状態が予め定められた第１の条件を満たした場合に、予め定められた宛先に通知してよい。
【００４６】
収集停止制御部１３４は、状態監視部１３０によって監視されるＢＳ１０の状態に応じて、ＯＳＳ３０に、当該ＢＳ１０の基地局識別情報を含む収集要求データに基づくデータの収集処理を停止させる。例えば、収集停止制御部１３４は、ＢＳ１０の状態が第１の条件とは異なる第２の条件を満たした場合に、ＯＳＳ３０に、収集要求データに基づく収集処理を停止させる。収集停止制御部１３４は、ＯＳＳ３０に収集処理を停止させる停止指示データを送信することによって、ＯＳＳ３０に収集要求データに基づく収集処理を停止させてよい。
【００４７】
第２の条件とは、ＢＳ１０の負荷が第１の閾値よりも高い第２の閾値より大きいことであってよい。例えば、収集停止制御部１３４は、ＢＳ１０のＣＰＵ負荷が６０％より大きい場合に、当該ＢＳ１０の基地局識別情報を含む収集要求データに基づく収集処理をＢＳ１０に停止させる。また、第２の条件とは、定期的に収集されたＢＳ１０の負荷が連続して第２の閾値より大きいことであってもよい。例えば、収集停止制御部１３４は、負荷データ受信部１２２が１５分毎に受信したＢＳ１０のＣＰＵ負荷が、２回連続して６０％より大きい場合に、当該ＢＳ１０の基地局識別情報を含む収集要求データに基づく収集処理をＯＳＳ３０に停止させる。これにより、データ収集に関連する処理をＢＳ１０が実行することによって、ＢＳ１０に過度の負荷がかかってしまうことを防止できる。
【００４８】
また、第２の条件とは、ＢＳ１０についてのアラームが第１レベルよりも高い第２レベルのアラームであることであってよい。例えば、収集停止制御部１３４は、アラームデータ受信部１２４が、ＢＳ１０についてのクリティカルアラームを受信した場合に、当該ＢＳ１０の基地局識別情報を含む収集要求データに基づく収集処理をＯＳＳ３０に停止させる。また、第２の条件とは、定期的に収集されたＢＳ１０についてのアラームが、連続してクリティカルアラームを含むことであってもよい。例えば、収集停止制御部１３４は、アラームデータ受信部１２４が１５分毎に受信したアラームデータが、２回連続してクリティカルアラームを含んだ場合に、ＢＳ１０の基地局識別情報を含む収集要求データに基づく収集処理をＯＳＳ３０に停止させる。これにより、ＢＳ１０に異常が発生している場合に、データ収集に関連する処理をＢＳ１０に実行させてしまうことを防止できる。
【００４９】
収集停止制御部１３４は、同様に、状態監視部１３０によって監視されるＲＮＣ２０の状態に応じて、ＯＳＳ３０に、当該ＲＮＣ２０が管理するＢＳ１０の基地局識別情報を含む収集要求データに基づくデータの収集処理を停止させてもよい。収集停止制御部１３４は、ＲＮＣ２０の状態が第１の条件とは異なる第２の条件を満たした場合に、ＯＳＳ３０に、当該ＲＮＣ２０が管理するＢＳ１０の基地局識別情報を含む収集要求データに基づく収集処理を停止させてよい。
【００５０】
収集再開制御部１３６は、収集停止制御部１３４が、一の収集要求データに基づくデータの収集処理をＯＳＳ３０に停止させた後、当該一の収集要求データに含まれる基地局識別情報によって識別されるＢＳ１０の状態が第２の条件とは異なる第３の条件を満たした場合に、ＯＳＳ３０に収集処理を再開させる。収集再開制御部１３６は、ＯＳＳ３０に収集処理を再開させる再開指示データを送信することによって、ＯＳＳ３０に収集処理を再開させてよい。
【００５１】
第３の条件とは、ＢＳ１０の負荷が第２の閾値よりも低い第３の閾値より小さいことであってよい。例えば、収集再開制御部１３６は、ＢＳ１０の負荷が第２の閾値を超えたことによってＯＳＳ３０による収集処理が停止した後、ＢＳ１０の負荷が第３の閾値より小さくなった場合に、ＯＳＳ３０に収集処理を再開させる。また、第３の条件とは、定期的に収集されたＢＳ１０の負荷が連続して第３の閾値より小さいことであってもよい。例えば、収集再開制御部１３６は、負荷データ受信部１２２が１５分毎に受信したＢＳ１０のＣＰＵ負荷が、２回連続して５０％より小さかった場合に、当該ＢＳ１０の基地局識別情報を含む収集要求データに基づく収集処理をＯＳＳ３０に再開させる。
【００５２】
また、第３の条件とは、ＢＳ１０についてのクリティカルアラームが解消されたことであってよい。例えば、収集再開制御部１３６は、アラームデータ受信部１２４が、ＢＳ１０についてのクリティカルアラームが解消されたことを示すデータを受信した場合に、当該ＢＳ１０の基地局識別情報を含む収集要求データに基づく収集処理をＯＳＳ３０に再開させる。
【００５３】
収集再開制御部１３６は、同様に、収集停止制御部１３４が、一のＲＮＣ２０が管理するＢＳ１０の基地局識別情報を含む収集要求データに基づくデータの収集処理をＯＳＳ３０に停止させた後、当該一のＲＮＣ２０の状態が、第２の条件とは異なる第３の条件を満たした場合に、ＯＳＳ３０に収集処理を再開させてよい。
【００５４】
図３は、データ収集装置１００による処理の流れの一例を概略的に示す。図３は、状態監視部１３０が監視する、要求送信部１０６が送信した一の収集要求データに含まれる基地局識別情報によって識別されるＢＳ１０の状態に基づく処理の流れについて説明する。図３に示す各処理は、データ収集装置１００が備える制御部が主体となって実行される。
【００５５】
ステップ３０２（ステップをＳと省略して記載する場合がある。）では、負荷データ受信部１２２が、ＯＳＳ３０から、ＢＳ１０のＣＰＵ負荷を示す負荷データを受信する。
【００５６】
Ｓ３０４では、状態通知部１３２が、ＢＳ１０のＣＰＵ負荷が２回連続して４０％より大きいか否かを判定する。ＢＳ１０のＣＰＵ負荷が２回連続して４０％より大きいと判定された場合、Ｓ３０６に進み、判定されなかった場合、Ｓ３０８に進む。Ｓ３０６では、状態通知部１３２が、使用者２１０のメールアドレス宛に、ＢＳ１０の負荷が高まっていることを通知する通知メールを送信する。
【００５７】
Ｓ３０８では、収集停止制御部１３４が、ＢＳ１０のＣＰＵ負荷が２回連続して６０％より大きいか否かを判定する。ＢＳ１０のＣＰＵ負荷が２回連続して６０％より大きいと判定された場合、Ｓ３１０に進み、判定されなかった場合、Ｓ３１４に進む。
【００５８】
Ｓ３１０では、収集停止制御部１３４が、一の収集要求データに基づくデータの収集処理をＯＳＳ３０に停止させる。Ｓ３１２では、収集停止制御部１３４が、一の収集要求データについて、収集処理を停止したことを示す収集停止フラグをＯＮにする。
【００５９】
Ｓ３１４では、収集再開制御部１３６が、一の収集要求データについて、収集停止フラグがＯＮになっているか否かを判定する。ＯＮになっていると判定された場合、Ｓ３１６に進み、ＯＮになっていると判定されなかった場合、Ｓ３２２に進む。
【００６０】
Ｓ３１６では、収集再開制御部１３６が、ＢＳ１０のＣＰＵ負荷が２回連続して５０％より小さいか否かを判定する。ＢＳ１０のＣＰＵ負荷が２回連続して５０％より小さいと判定された場合、Ｓ３１８に進み、判定されなかった場合、Ｓ３２２に進む。
【００６１】
Ｓ３１８では、収集再開制御部１３６が、収集停止制御部１３４によって停止された収集処理をＯＳＳ３０に再開させる。Ｓ３２０では、収集再開制御部１３６が、一の収集要求データについて、収集停止フラグをＯＦＦにする。
【００６２】
Ｓ３２２では、一の収集要求データについて、収集が終了したか否かが判定される。収集が終了していないと判定された場合、Ｓ３０２に戻り、終了したと判定された場合、処理が終了する。
【００６３】
図４は、データ収集装置１００による処理の流れの他の一例を概略的に示す。図４は、状態監視部１３０によって監視される、要求送信部１０６が送信した一の収集要求データに含まれる基地局識別情報によって識別されるＢＳ１０の状態に基づく処理の流れについて説明する。図４に示す各処理は、データ収集装置１００が備える制御部が主体となって実行される。ここでは、図３と異なる点を主に説明する。
【００６４】
ステップ４０２では、アラームデータ受信部１２４が、ＯＳＳ３０から、アラームデータを受信する。
【００６５】
Ｓ４０４では、状態通知部１３２が、アラームデータ受信部１２４が受信したアラームデータが２回連続してメジャーアラームを含んだか否かを判定する。２回連続してメジャーアラームを含んだと判定された場合、Ｓ４０６に進み、判定されなかった場合、Ｓ４０８に進む。Ｓ４０６では、状態通知部１３２が、使用者２１０のメールアドレス宛に、ＢＳ１０にメジャーアラームが発生していることを通知する通知メールを送信する。通知メールは、メジャーアラームの内容を含んでもよい。
【００６６】
Ｓ４０８では、収集停止制御部１３４が、アラームデータ受信部１２４が受信したアラームデータが２回連続してクリティカルアラームを含んだか否かを判定する。２回連続してクリティカルアラームを含んだと判定された場合、Ｓ４１０に進み、判定されなかった場合、Ｓ４１４に進む。
【００６７】
Ｓ４１０では、収集停止制御部１３４が、一の収集要求データに基づくデータの収集処理をＯＳＳ３０に停止させる。Ｓ４１２では、収集停止制御部１３４が、一の収集要求データについて、収集処理を停止したことを示す収集停止フラグをＯＮにする。
【００６８】
Ｓ４１４では、収集再開制御部１３６が、一の収集要求データについて、収集停止フラグがＯＮになっているか否かを判定する。ＯＮになっていると判定された場合、Ｓ４１６に進み、ＯＮになっていると判定されなかった場合、Ｓ４２２に進む。
【００６９】
Ｓ４１６では、収集再開制御部１３６が、アラームデータ受信部１２４が受信したアラームデータが、クリティカルアラームが解消されたことを示すデータであったか否かを判定する。クリティカルアラームが解消されたことを示すデータであった場合、Ｓ４１８に進み、クリティカルアラームが解消されたことを示すデータでなかった場合、Ｓ４２２に進む。
【００７０】
Ｓ４１８では、収集再開制御部１３６が、収集停止制御部１３４によって停止された収集処理をＯＳＳ３０に再開させる。Ｓ４２０では、収集再開制御部１３６が、一の収集要求データについて、収集停止フラグをＯＦＦにする。
【００７１】
Ｓ４２２では、一の収集要求データについて、収集処理が終了したか否かが判定される。収集が終了していないと判定された場合、Ｓ４０２に戻り、終了したと判定された場合、処理が終了する。
【００７２】
以上の説明において、データ収集装置１００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、データ収集装置１００として機能してもよい。プログラムは、コンピュータ読み取り可能な媒体又はネットワークに接続された記憶装置から、データ収集装置１００の少なくとも一部を構成するコンピュータにインストールされてよい。
【００７３】
コンピュータにインストールされ、コンピュータを本実施形態に係るデータ収集装置１００として機能させるプログラムは、ＣＰＵ等に働きかけて、コンピュータを、データ収集装置１００の各部としてそれぞれ機能させる。これらのプログラムに記述された情報処理は、コンピュータに読込まれることにより、ソフトウエアとデータ収集装置１００のハードウエア資源とが協働した具体的手段として機能する。
【００７４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７５】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００７６】
１０  ＢＳ、１２  移動局、２０  ＲＮＣ、３０  ＯＳＳ、５０  ネットワーク、１００  データ収集装置、１０２  入力データ取得部、１０４  収集要求データ生成部、１０６  要求送信部、１１２  収集データ受信部、１１４  収集状況データ送信部、１１６  収集データ格納部、１１８  収集データ送信部、１２２  負荷データ受信部、１２４  アラームデータ受信部、１３０  状態監視部、１３２  状態通知部、１３４  収集停止制御部、１３６  収集再開制御部、２００  情報端末、２１０  使用者、３００  ファイルサーバ
【要約】
【課題】複数の無線基地局により提供される実際の無線ネットワークの状況を安全かつ効率的に把握することを支援するシステムの提供が望まれていた。
【解決手段】無線基地局と移動局との間で送受信される制御データ、無線基地局の稼働に関連する基地局稼働関連データ及び無線基地局を制御する基地局制御装置の稼働に関連する制御装置稼働関連データの少なくともいずれかを収集する要求を含む収集要求データをオペレーションサポートシステムに送信する要求送信部と、収集要求データに従ってオペレーションサポートシステムが収集した制御データ、基地局稼働関連データ及び制御装置稼働関連データの少なくともいずれかをオペレーションサポートシステムから受信する収集データ受信部と、収集データを格納する収集データ格納部とを備えるデータ収集装置を提供する。
【選択図】図２【図１】
0005584377.tif 000002
【図２】
0005584377.tif 000003
【図３】
0005584377.tif 000004
【図４】
0005584377.tif 000005